(57)【要約】【課題】  迅速でかつ短接続時間にて効率良く安否確認を実施可能とすること。【解決手段】  アクセス者が携行する情報端末５と、アクセス者に対して安否情報を提供するサーバコンピュータ１と、から成り、該サーバコンピュータ１は、グループアドレス生成手段２２と、該形成されたグループに属するメンバー識別情報を、グループ特定情報に対応付けて登録するメンバー登録手段２２、２５と、メンバー識別情報と安否情報とを受付け、該受付けたメンバー識別情報と安否情報とを対応付けて記憶する安否情報記憶手段２２，２５と、グループに属する各メンバーの安否情報を、前記安否情報記憶手段２２，２５にて記憶された各メンバーの安否情報に基づいてアクセス者に配信する安否情報配信手段２２，２６と、を備える。【選択図】    図１
2005141585.tif 000002
【特許請求の範囲】
【請求項１】
インターネット等のオープンコンピュータネットワークへの接続機能を有し、アクセス者が携行する情報端末と、
前記オープンコンピュータネットワークに接続され、前記情報端末からのアクセスに基づき、該アクセス者に対して安否情報を提供するためのサーバコンピュータと、
から成る安否確認システムであって、
前記サーバコンピュータは、
安否確認の実施対象とするグループを形成するとともに、該グループに固有とされたアクセスページへのアクセスを可能とするための前記オープンコンピュータネットワーク上のアドレスを生成するグループアドレス生成手段と、
該グループアドレス生成手段にて形成されたグループに属するメンバーを個々に識別可能なメンバー識別情報を受付け、該受付けたメンバー識別情報を、該グループを個々に特定可能なグループ特定情報に対応付けて記憶することでメンバーの登録を実施するメンバー登録手段と、
前記アクセス者が携行する情報端末からの前記グループアドレス生成手段にて生成されたアドレスによる当該アクセス者がメンバーとなっているグループに対応するアクセスページへのアクセスに基づいて、該アクセスページに対応するグループに属するメンバーの内、該アクセス者が該当するメンバーのメンバー識別情報と安否情報とを受付け、該受付けたメンバー識別情報と安否情報とを対応付けて記憶する安否情報記憶手段と、
該アクセスページに対応するグループに属する各メンバーの安否情報を、前記安否情報記憶手段にて記憶された各メンバーの安否情報に基づいてアクセス者に配信する安否情報配信手段と、
を備えることを特徴とする安否確認システム。
【請求項２】
前記メンバー登録手段は、メンバー識別情報とともに当該メンバーの電子メールアドレスを受付け、該受付けた電子メールアドレスをメンバー識別情報に対応付けて記憶し、
前記サーバコンピュータは、前記メンバー登録手段にて受付けた電子メールアドレスに対して前記グループアドレス生成手段にて生成したアクセスページのアドレスを含む電子メールを送信する電子メール送信手段を備えることを特徴とする請求項１に記載の安否確認システム。
【請求項３】
前記サーバコンピュータは、各メンバーの認証に使用するための認証情報を生成する認証情報生成手段を備え、
前記メンバー登録手段は、該認証情報生成手段にて生成された認証情報をメンバー識別情報に対応付けて仮登録し、
前記電子メール送信手段は、前記認証情報生成手段にて生成した認証情報を含む電子メールを送信し、
前記サーバコンピュータは、アクセス者から前記電子メール送信手段にて送信された電子メールにて通知された認証情報とメンバー識別情報とを受付けて、該受付けた認証情報とメンバー識別情報の認証を、前記メンバー登録手段にて記憶した認証情報とメンバー識別情報との比較に基づいて実施する認証手段を備え、
前記メンバー登録手段は、該認証手段における認証が一致したことを条件に、該メンバー識別情報の仮登録を正規登録に更新することを特徴とする請求項１または２に記載の安否確認システム。
【請求項４】
前記サーバコンピュータは、複数のグループをリング付けするグループリンク手段を備え、
前記安否情報配信手段は、前記アクセスページに対応するグループに属する各メンバーの安否情報に加えて、当該グループに対して前記グループリンク手段にてリンクされたグループに属するメンバーの安否情報を配信することを特徴とする請求項１〜３のいずれかに記載の安否確認システム。
【請求項５】
前記電子メール送信手段は、前記安否情報記憶手段において新たな安否情報の受付けがあったときに、該新たな安否情報とメンバー識別情報とを含む電子メールを、当該安否情報を新たに受付けたメンバー以外のメンバーおよび／または前記リンク手段にてリンクされたグループのメンバーの電子メールアドレスに対して送信することを特徴とする請求項２〜４のいずれかに記載の安否確認システム。
【請求項６】
前記安否情報記憶手段は、安否情報とともに、他のメンバーへの連絡情報を受付けてメンバー識別情報に対応付けて記憶し、
前記安否情報配信手段は、前記安否情報に加えて前記連絡情報を配信することを特徴とする請求項１〜５のいずれかに記載の安否確認システム。
【請求項７】
前記情報端末は、前記グループアドレス生成手段にて生成されたアクセスページのアドレスにアクセスするための単独のアクセス操作手段を備えることを特徴とする請求項１〜６のいずれかに記載の安否確認システム。
【請求項８】
前記アクセス操作手段が、前記情報端末に着脱可能とされ、前記グループアドレス生成手段にて生成されたアクセスページのアドレスを記憶する記憶媒体を、前記情報端末に装着することで形成されていることを特徴とする請求項７に記載の安否確認システム。
【請求項９】
インターネット等のオープンコンピュータネットワークに接続されたサーバコンピュータによりアクセス者に対して安否情報を提供する安否確認サービスの提供方法であって、
前記サーバコンピュータは、
安否確認の実施対象とするグループを形成するとともに、該グループに固有とされたアクセスページへのアクセスを可能とするための前記オープンコンピュータネットワーク上のアドレスを生成するグループアドレス生成ステップと、
該グループアドレス生成ステップにて形成されたグループに属するメンバーを個々に識別可能なメンバー識別情報を受付け、該受付けたメンバー識別情報を、該グループを個々に特定可能なグループ特定情報に対応付けて記憶することでメンバーの登録を実施するメンバー登録ステップと、
前記アクセス者からの前記グループアドレス生成ステップにて生成されたアドレスによる当該アクセス者がメンバーとなっているグループに対応するアクセスページへのアクセスに基づいて、該アクセスページに対応するグループに属するメンバーの内、該アクセス者が該当するメンバーのメンバー識別情報と安否情報とを受付け、該受付けたメンバー識別情報と安否情報とを対応付けて記憶する安否情報記憶ステップと、
該アクセスページに対応するグループに属する各メンバーの安否情報を、前記安否情報記憶ステップにて記憶された各メンバーの安否情報に基づいてアクセス者に配信する安否情報配信ステップと、
を含むことを特徴とする安否確認サービスの提供方法。
【請求項１０】
前記メンバー登録ステップにおいては、メンバー識別情報とともに当該メンバーの電子メールアドレスを受付け、該受付けた電子メールアドレスをメンバー識別情報に対応付けて記憶するとともに、
前記サーバコンピュータは、前記メンバー登録ステップにて受付けた電子メールアドレスに対してグループアドレス生成ステップにて生成したアクセスページのアドレスを含む電子メールを送信する電子メール送信ステップを含むことを特徴とする請求項９に記載の安否確認サービスの提供方法。
【請求項１１】
前記サーバコンピュータは、各メンバーの認証に使用するための認証情報を生成する認証情報生成ステップを含み、
前記メンバー登録ステップにおいては、該認証情報生成ステップにて生成された認証情報をメンバー識別情報に対応付けて仮登録し、
前記電子メール送信ステップにおいては、前記認証情報生成ステップにて生成した認証情報を含む電子メールを送信し、
前記サーバコンピュータは、
アクセス者から前記電子メール送信ステップにて送信された電子メールにて通知された認証情報とメンバー識別情報とを受付けて、該受付けた認証情報とメンバー識別情報の認証を、前記メンバー登録ステップにて記憶した認証情報とメンバー識別情報との比較に基づいて実施する認証ステップと、
該認証ステップにおける認証が一致したことを条件に、仮登録した認証情報とメンバー識別情報とを正規登録に更新する正規登録更新ステップと、
を含むことを特徴とする請求項９または１０に記載の安否確認サービスの提供方法。
【請求項１２】
前記サーバコンピュータは、複数のグループをリング付けするグループリンクステップを含み、
前記安否情報配信ステップにおいては、前記アクセスページに対応するグループに属する各メンバーの安否情報に加えて、当該グループに対して前記グループリンクステップにてリンクされたグループに属するメンバーの安否情報を配信することを特徴とする請求項９〜１１のいずれかに記載の安否確認サービスの提供方法。
【請求項１３】
前記電子メール送信ステップにおいては、前記安否情報記憶ステップにおいて新たな安否情報の受付けがあったときに、該新たな安否情報とメンバー識別情報とを含む電子メールを、当該安否情報を新たに受付けたメンバー以外のメンバーおよび／または前記リンクステップにおいてリンクされたグループのメンバーの電子メールアドレスに対して送信することを特徴とする請求項１０〜１２のいずれかに記載の安否確認サービスの提供方法。
【請求項１４】
前記安否情報記憶ステップにおいては、安否情報とともに、他のメンバーへの連絡情報を受付けてメンバー識別情報に対応付けて記憶し、
前記安否情報配信ステップにおいては、前記安否情報に加えて前記連絡情報を配信することを特徴とする請求項９〜１３のいずれかに記載の安否確認サービスの提供方法。
【発明の詳細な説明】
【技術分野】
【０００１】
本発明は、大地震等の災害発生時等において、社員や職員や在校生や在園児等の家族や友人、知人の安否を確認するための安否確認システム並びに安否確認サービスの提供方法に関する。
【背景技術】
【０００２】
従来におけるこれら安否確認システムとしては、電話における１７１番並びに１７２番において実用化されている伝言サービスを利用するものや、インターネット等の掲示板を利用したシステムが実用化されている。
【発明の開示】
【発明が解決しようとする課題】
【０００３】
しかしながら、これら従来の安否確認システムにおいては、実際に大地震等の災害が発生すると、通信手段である電話の輻輳が発生し、電話が非常にかかりにくくなるとともに、これらの輻輳を解消するために、電話の利用が大幅に規制されて、長い時間の通話の利用が困難となってしまうため、上記した伝言サービスを利用するものや、インターネット等の掲示板を利用したシステムでは、安否を確認したい人の安否の情報を入手できるまでに、実際に安否確認をしたい人以外の安否情報も入手して、その中から実際に安否を確認したい人の安否の情報を得る必要があるために、これら実際に安否を確認したい人の安否の情報を得るまでに比較的長い時間に亘り通話帯域を占有するか、或いはデータ通信であっても比較的長い時間に亘りデータ通信を実施する必要があり、迅速でかつ少ない接続時間にて効率良く安否確認を実施することのできる安否確認システムが切望されているとともに、これら安否確認システムを１企業や１組織が単独にて導入することなく、安価にてこれらの安否確認を実施できる安否確認サービスが切望されていた。
【０００４】
本発明は、このような問題点に着目してなされたもので、大地震等の災害が発生時における輻輳状況下においても、迅速でかつ少ない接続時間にて効率良く安否確認を実施することのできる安否確認システム並びに安否確認サービスの提供方法を提供することを目的とする。
【課題を解決するための手段】
【０００５】
上記課題を解決するために、本発明の請求項１に記載の安否確認システムは、
インターネット等のオープンコンピュータネットワークへの接続機能を有し、アクセス者が携行する情報端末と、
前記オープンコンピュータネットワークに接続され、前記情報端末からのアクセスに基づき、該アクセス者に対して安否情報を提供するためのサーバコンピュータと、
から成る安否確認システムであって、
前記サーバコンピュータは、
安否確認の実施対象とするグループを形成するとともに、該グループに固有とされたアクセスページへのアクセスを可能とするための前記オープンコンピュータネットワーク上のアドレスを生成するグループアドレス生成手段と、
該グループアドレス生成手段にて形成されたグループに属するメンバーを個々に識別可能なメンバー識別情報を受付け、該受付けたメンバー識別情報を、該グループを個々に特定可能なグループ特定情報に対応付けて記憶することでメンバーの登録を実施するメンバー登録手段と、
前記アクセス者が携行する情報端末からの前記グループアドレス生成手段にて生成されたアドレスによる当該アクセス者がメンバーとなっているグループに対応するアクセスページへのアクセスに基づいて、該アクセスページに対応するグループに属するメンバーの内、該アクセス者が該当するメンバーのメンバー識別情報と安否情報とを受付け、該受付けたメンバー識別情報と安否情報とを対応付けて記憶する安否情報記憶手段と、
該アクセスページに対応するグループに属する各メンバーの安否情報を、前記安否情報記憶手段にて記憶された各メンバーの安否情報に基づいてアクセス者に配信する安否情報配信手段と、
を備えることを特徴としている。
この特徴によれば、インターネット網等のオープンコンピュータネットワークを介したデータ通信を用い、各グループに固有に割り当てられたアクセスページへアクセスして自分の安否を入力することで、該入力した自分の安否情報が、自分が属しているグループの他のメンバーが該アクセスページへアクセスすることで配信されるとともに、自分以外の他のメンバーの安否情報が配信されて確認できるようになるため、音声による安否情報に確認に比較して確認に要する時間を大幅に短いものとできるとともに、予めグループに登録されたメンバーの安否情報のみが配信されるようになるため、不特定多数の人が書き込みを実施する掲示板等に比較して、迅速かつ効率良く安否確認を実施できる。また、大地震等の災害が発生時における輻輳状況下にあっても、例えば携帯電話におけるデータ通信であるパケット通信によるデータ通信での接続の可能性は、通話による通信よりも接続可能性が高く、より確実性の高い安否確認システムを構築できる。
【０００６】
本発明の請求項２に記載の安否確認システムは、請求項１に記載の安否確認システムであって、
前記メンバー登録手段は、メンバー識別情報とともに当該メンバーの電子メールアドレスを受付け、該受付けた電子メールアドレスをメンバー識別情報に対応付けて記憶し、
前記サーバコンピュータは、前記メンバー登録手段にて受付けた電子メールアドレスに対して前記グループアドレス生成手段にて生成したアクセスページのアドレスを含む電子メールを送信する電子メール送信手段を備えることを特徴としている。
この特徴によれば、メンバー登録した各メンバーにアクセスページのアドレスを通知する手間を省けるとともに、当該アクセスページのアドレスの間違いによる不都合を大幅に低減できるばかりか、仮に電子メールアドレスが間違えて登録されているメンバーへはアクセスページのアドレスを含む電子メールが送信されず、エラーメールとなることで、これら電子メールアドレスの間違いを事前に把握することができる。
【０００７】
本発明の請求項３に記載の安否確認システムは、請求項１または２に記載の安否確認システムであって、
前記サーバコンピュータは、各メンバーの認証に使用するための認証情報を生成する認証情報生成手段を備え、
前記メンバー登録手段は、該認証情報生成手段にて生成された認証情報をメンバー識別情報に対応付けて仮登録し、
前記電子メール送信手段は、前記認証情報生成手段にて生成した認証情報を含む電子メールを送信し、
前記サーバコンピュータは、アクセス者から前記電子メール送信手段にて送信された電子メールにて通知された認証情報とメンバー識別情報とを受付けて、該受付けた認証情報とメンバー識別情報の認証を、前記メンバー登録手段にて記憶した認証情報とメンバー識別情報との比較に基づいて実施する認証手段を備え、
前記メンバー登録手段は、該認証手段における認証が一致したことを条件に、該メンバー識別情報の仮登録を正規登録に更新することを特徴としている。
この特徴によれば、電子メールにて通知された認証情報に基づく認証がとれたメンバーが正規登録されることで、虚偽や他人の電子メールアドレス等を用いた登録を排除できるとともに、アクセスしてきたメンバーには、確実にアクセスページのアドレスが通知されていることを確認することができる。
【０００８】
本発明の請求項４に記載の安否確認システムは、請求項１〜３のいずれかに記載の安否確認システムであって、
前記サーバコンピュータは、複数のグループをリング付けするグループリンク手段を備え、
前記安否情報配信手段は、前記アクセスページに対応するグループに属する各メンバーの安否情報に加えて、当該グループに対して前記グループリンク手段にてリンクされたグループに属するメンバーの安否情報を配信することを特徴としている。
この特徴によれば、グループに属するメンバーは、所属するグループにリンクされている他のグループのメンバーに自分の安否を通知できるとともに、該リンクされている他のグループのメンバーの安否情報も確認することができる。
【０００９】
本発明の請求項５に記載の安否確認システムは、請求項２〜４のいずれかに記載の安否確認システムであって、前記電子メール送信手段は、前記安否情報記憶手段において新たな安否情報の受付けがあったときに、該新たな安否情報とメンバー識別情報とを含む電子メールを、当該安否情報を新たに受付けたメンバー以外のメンバーおよび／または前記リンク手段にてリンクされたグループのメンバーの電子メールアドレスに対して送信することを特徴としている。
この特徴によれば、安否情報が更新されたか否かを逐次アクセスページにアクセスして確認する必要がなく、これら頻繁なアクセスによる輻輳の悪化や携帯電話等の電池の消耗等を最小限にとどめることができる。
【００１０】
本発明の請求項６に記載の安否確認システムは、請求項１〜５のいずれかに記載の安否確認システムであって、
前記安否情報記憶手段は、安否情報とともに、他のメンバーへの連絡情報を受付けてメンバー識別情報に対応付けて記憶し、
前記安否情報配信手段は、前記安否情報に加えて前記連絡情報を配信することを特徴としている。
この特徴によれば、安否情報だけではなく連絡情報も配信されるようになるため、他のメンバーに伝達したい連絡内容を通知することができる。
【００１１】
本発明の請求項７に記載の安否確認システムは、請求項１〜６のいずれかに記載の安否確認システムであって、
前記情報端末は、前記グループアドレス生成手段にて生成されたアクセスページのアドレスにアクセスするための単独のアクセス操作手段を備えることを特徴としている。
この特徴によれば、単独とされたアクセス操作手段を操作するのみで簡便にアクセスページにアクセスできるようになり、災害時における動転状況下においても、機械操作を不得手とする高齢者や女性であっても、アクセスページへアクセスできる可能性を大幅に高めることができる。
【００１２】
本発明の請求項８に記載の安否確認システムは、請求項７に記載の安否確認システムであって、
前記アクセス操作手段が、前記情報端末に着脱可能とされ、前記グループアドレス生成手段にて生成されたアクセスページのアドレスを記憶する記憶媒体を、前記情報端末に装着することで形成されていることを特徴としている。
この特徴によれば、これら記憶媒体を非常時に備えて携行することで、例えば、自分が携行する携帯電話等が故障または電池切れになっても、これら記憶媒体を他人の携帯電話やＰＤＡ端末等に装着することで、アクセスページにアクセスして安否情報の入力や確認を実施できるようになる。
【００１３】
本発明の請求項９に記載の安否確認サービスの提供方法は、
インターネット等のオープンコンピュータネットワークに接続されたサーバコンピュータによりアクセス者に対して安否情報を提供する安否確認サービスの提供方法であって、
前記サーバコンピュータは、
安否確認の実施対象とするグループを形成するとともに、該グループに固有とされたアクセスページへのアクセスを可能とするための前記オープンコンピュータネットワーク上のアドレスを生成するグループアドレス生成ステップと、
該グループアドレス生成ステップにて形成されたグループに属するメンバーを個々に識別可能なメンバー識別情報を受付け、該受付けたメンバー識別情報を、該グループを個々に特定可能なグループ特定情報に対応付けて記憶することでメンバーの登録を実施するメンバー登録ステップと、
前記アクセス者からの前記グループアドレス生成ステップにて生成されたアドレスによる当該アクセス者がメンバーとなっているグループに対応するアクセスページへのアクセスに基づいて、該アクセスページに対応するグループに属するメンバーの内、該アクセス者が該当するメンバーのメンバー識別情報と安否情報とを受付け、該受付けたメンバー識別情報と安否情報とを対応付けて記憶する安否情報記憶ステップと、
該アクセスページに対応するグループに属する各メンバーの安否情報を、前記安否情報記憶ステップにて記憶された各メンバーの安否情報に基づいてアクセス者に配信する安否情報配信ステップと、
を含むことを特徴としている。
この特徴によれば、インターネット網等のオープンコンピュータネットワークを介したデータ通信を用い、各グループに固有に割り当てられたアクセスページへアクセスして自分の安否を入力することで、該入力した自分の安否情報が、自分が属しているグループの他のメンバーが該アクセスページへアクセスすることで配信されるとともに、自分以外の他のメンバーの安否情報が配信されて確認できるようになるため、音声による安否情報に確認に比較して確認に要する時間を大幅に短いものとできるとともに、予めグループに登録されたメンバーの安否情報のみが配信されるようになるため、不特定多数の人が書き込みを実施する掲示板等に比較して、迅速かつ効率良く安否確認を実施できる。また、大地震等の災害が発生時における輻輳状況下にあっても、例えば携帯電話におけるデータ通信であるパケット通信によるデータ通信での接続の可能性は、通話による通信よりも接続可能性が高く、より確実性の高い安否確認システムを構築できる。
【００１４】
本発明の請求項１０に記載の安否確認サービスの提供方法は、請求項９に記載の安否確認サービスの提供方法であって、
前記メンバー登録ステップにおいては、メンバー識別情報とともに当該メンバーの電子メールアドレスを受付け、該受付けた電子メールアドレスをメンバー識別情報に対応付けて記憶するとともに、
前記サーバコンピュータは、前記メンバー登録ステップにて受付けた電子メールアドレスに対してグループアドレス生成ステップにて生成したアクセスページのアドレスを含む電子メールを送信する電子メール送信ステップを含むことを特徴としている。
この特徴によれば、メンバー登録した各メンバーにアクセスページのアドレスを通知する手間を省けるとともに、当該アクセスページのアドレスの間違いによる不都合を大幅に低減できるばかりか、仮に電子メールアドレスが間違えて登録されているメンバーへはアクセスページのアドレスを含む電子メールが送信されず、エラーメールとなることで、これら電子メールアドレスの間違いを事前に把握することができる。
【００１５】
本発明の請求項１１に記載の安否確認サービスの提供方法は、請求項９または１０に記載の安否確認サービスの提供方法であって、
前記サーバコンピュータは、各メンバーの認証に使用するための認証情報を生成する認証情報生成ステップを含み、
前記メンバー登録ステップにおいては、該認証情報生成ステップにて生成された認証情報をメンバー識別情報に対応付けて仮登録し、
前記電子メール送信ステップにおいては、前記認証情報生成ステップにて生成した認証情報を含む電子メールを送信し、
前記サーバコンピュータは、
アクセス者から前記電子メール送信ステップにて送信された電子メールにて通知された認証情報とメンバー識別情報とを受付けて、該受付けた認証情報とメンバー識別情報の認証を、前記メンバー登録ステップにて記憶した認証情報とメンバー識別情報との比較に基づいて実施する認証ステップと、
該認証ステップにおける認証が一致したことを条件に、仮登録した認証情報とメンバー識別情報とを正規登録に更新する正規登録更新ステップと、
を含むことを特徴としている。
この特徴によれば、電子メールにて通知された認証情報に基づく認証がとれたメンバーが正規登録されることで、虚偽や他人の電子メールアドレス等を用いた登録を排除できるとともに、アクセスしてきたメンバーには、確実にアクセスページのアドレスが通知されていることを確認することができる。
【００１６】
本発明の請求項１２に記載の安否確認サービスの提供方法は、請求項９〜１１のいずれかに記載の安否確認サービスの提供方法であって、
前記サーバコンピュータは、複数のグループをリング付けするグループリンクステップを含み、
前記安否情報配信ステップにおいては、前記アクセスページに対応するグループに属する各メンバーの安否情報に加えて、当該グループに対して前記グループリンクステップにてリンクされたグループに属するメンバーの安否情報を配信することを特徴としている。
この特徴によれば、グループに属するメンバーは、所属するグループにリンクされている他のグループのメンバーに自分の安否を通知できるとともに、該リンクされている他のグループのメンバーの安否情報も確認することができる。
【００１７】
本発明の請求項１３に記載の安否確認サービスの提供方法は、請求項１０〜１２のいずれかに記載の安否確認サービスの提供方法であって、
前記電子メール送信ステップにおいては、前記安否情報記憶ステップにおいて新たな安否情報の受付けがあったときに、該新たな安否情報とメンバー識別情報とを含む電子メールを、当該安否情報を新たに受付けたメンバー以外のメンバーおよび／または前記リンクステップにおいてリンクされたグループのメンバーの電子メールアドレスに対して送信することを特徴としている。
この特徴によれば、安否情報が更新されたか否かを逐次アクセスページにアクセスして確認する必要がなく、これら頻繁なアクセスによる輻輳の悪化や携帯電話等の電池の消耗等を最小限にとどめることができる。
【００１８】
本発明の請求項１４に記載の安否確認サービスの提供方法は、請求項９〜１３のいずれかに記載の安否確認サービスの提供方法であって、
前記安否情報記憶ステップにおいては、安否情報とともに、他のメンバーへの連絡情報を受付けてメンバー識別情報に対応付けて記憶し、
前記安否情報配信ステップにおいては、前記安否情報に加えて前記連絡情報を配信することを特徴としている。
この特徴によれば、安否情報だけではなく連絡情報も配信されるようになるため、他のメンバーに伝達したい連絡内容を通知することができる。
【発明を実施するための最良の形態】
【００１９】
本発明の実施例を以下に説明する。
図１は、本発明の安否確認サービスの提供方法を適用した本実施例の安否確認システムの構成を示すシステム概要図であり、図２は、本実施例の安否確認システムに用いた安否確認サービスをクライアントに提供するサービス提供会社（ＡＳＰ）に設置されたサーバコンピュータ１の構成を示す図であり、図３は、該サーバコンピュータ１に記憶されている各データベースの構成を示す図であり、図４は、本実施例に用いた情報端末としての携帯電話５に装着使用されるアクセスアダプタの装着状況を示す図であり、図５は、該アクセスアダプタの構成を示すブロック図である。
【００２０】
まず、本実施例の安否確認システムの構成は、図１に示すように、オープンコンピュータネットワークであるインターネット網６に接続され、サービス提供会社（ＡＳＰ）に設置されているサーバコンピュータ１と、前記インターネット網６に接続され、該サービス提供会社（ＡＳＰ）との契約企業であるサービス利用会社（クライアント）に設置されたコンピュータ端末７と、前記インターネット網６への接続機能を有し、実際に安否確認の対象となる前記サービス利用会社（クライアント）の社員が所持する携帯電話５とから主に構成されている。
【００２１】
尚、本実施例では、サーバコンピュータ１に対応するミラーサーバ１’を設けており、仮にサーバコンピュータ１が被災しても、ミラーサーバ１’による安否確認システムの運用ができるようになっている。
【００２２】
本実施例に用いたサービス提供会社（ＡＳＰ）に設置されているサーバコンピュータ１は、図２に示すような構成とされ、サーバコンピュ−タ１の内部にてデ−タの送受を行うデ−タバス２１に、後述する各データベースの更新処理等の各種処理を処理プログラムに基づいて実施する中央演算処理装置（ＣＰＵ）２２や、該ＣＰＵ２２のワークメモリ等に使用されるＲＡＭ２３や、現在の時刻情報や任意年月日の曜日等のカレンダ−情報を出力可能なリアルタイムクロック（ＲＴＣ）２４や、前記インターネット網６に接続された通信装置２に接続されてデータの送受信を行う通信インターフェイス２６と、磁気ディスクや光磁気ディスクから成り、前記中央演算処理装置（ＣＰＵ）２２が実施する前記各種処理プログラムや、図３（ａ）に示すグループ情報データベース（ＤＢ）や、図３（ｂ）に示すメンバー情報データベース（ＤＢ）や、図３（ｃ）に示すクライアント情報データベース（ＤＢ）、前記メンバー情報データベース（ＤＢ）に登録されている各メンバーの登録や、当該各メンバーに安否確認ページを提供するためのジグソウプログラム（（株）エフ・イー・エス社  商品名）や、各メンバーのメッセージ内容が記憶されるメッセージファイルや、各ページに使用されるページデータ等が記憶されている記憶装置２５と、が接続された比較的演算能力に優れたコンピュ−タとされている。
【００２３】
また、本実施例のサーバコンピュ−タ１の中央演算処理装置（ＣＰＵ）２２は、安否確認の実施対象とするグループを形成するとともに、該グループに固有とされたアクセスページとなる後述する安否確認ページへのアクセスを可能とするためのインターネット上のアドレスであるＵＲＬを生成するグループアドレス生成処理を実施する。
【００２４】
また、本実施例のサーバコンピュ−タ１のＣＰＵ２２は、該グループアドレス生成処理にて形成されたグループに属するメンバーを個々に識別可能なメンバー識別情報としてのメンバーＩＤを受付け、該受付けたメンバーＩＤを、該グループを個々に特定可能なグループ特定情報であるグループＩＤに対応付けて、後述するグループ情報テーブルに登録（記憶）することでメンバーの登録を実施するメンバー登録処理を実施する。
【００２５】
また、本実施例のサーバコンピュ−タ１のＣＰＵ２２は、グループに対応するアクセスページである安否確認ページへのアクセスに基づいて、該アクセスページに対応するグループに属するメンバーの内、該アクセス者が該当するメンバーのメンバー識別情報であるメンバーＩＤと安否情報（ＡＬＩＶＥまたはｄｅａｄ）とを受付け、該受付けたメンバー識別情報であるメンバーＩＤと安否情報とを対応付けてメンバー情報テーブルに記憶する安否情報記憶処理を実施する。
【００２６】
また、本実施例のサーバコンピュ−タ１のＣＰＵ２２は、アクセスページである安否確認ページに対応するグループに属する各メンバーの安否情報を、前記安否情報記憶処理にてメンバー情報テーブルに記憶された各メンバーの安否情報に基づいてアクセス者（メンバー）に配信する安否情報配信処理を実施する。
【００２７】
また、本実施例のサーバコンピュ−タ１のＣＰＵ２２は、新規にメンバーとして登録されるメンバーの登録内容として受付けた電子メールアドレスに対して、前記グループアドレス生成処理にて生成したアクセスページである安否確認ページのＵＲＬを含む電子メールを送信する電子メール送信処理を実施する。
【００２８】
また、本実施例のサーバコンピュ−タ１のＣＰＵ２２は、各メンバーの認証に使用するための認証情報となるメンバーＩＤを生成する認証情報生成処理を実施するとともに、該生成したメンバーＩＤをメンバー情報テーブルに登録するとともに、当該メンバーＩＤに対応する仮登録の値を１として該登録を仮登録とする。尚、本実施例では、処理を簡素化させるために、認証情報とメンバー識別情報とを同一としてメンバーＩＤを用いるようにしているが、本発明はこれに限定されるものではなく、これら認証情報をメンバー識別情報とは個別に生成するようにしても良い。
【００２９】
また、本実施例のサーバコンピュ−タ１のＣＰＵ２２は、新たにメンバー登録されるメンバー（社員）から電子メールにて通知された認証情報としてのメンバーＩＤを受付けて、電子メールにて通知したメンバーＩＤとの比較により認証を実施する認証処理を行い、該認証処理における認証が一致したことを条件に、当該メンバー識別情報並びに認証情報であるメンバーＩＤの仮登録を正規登録である「０」に更新する。
【００３０】
また、本実施例のサーバコンピュ−タ１のＣＰＵ２２は、グループに所属するメンバーが他のグループのグループリーダとなっているグループのグループＩＤを、リンクグループＩＤに、当該グループに対応付けて登録することで、複数のグループをリング付けするグループリンク処理を実施し、前記安否情報配信処理においては、前記アクセスページである安否確認ページに対応するグループに属する各メンバーの安否情報に加えて、当該グループに対して前記グループリンク処理にてリンクグループＩＤに登録されてリンクされたグループに属するメンバーの安否情報も配信する。
【００３１】
また、本実施例のサーバコンピュ−タ１のＣＰＵ２２は、前記電子メール送信処理において、前記安否情報記憶処理において新たな安否情報の受付けがあったときに、該新たな安否情報とメンバー識別情報であるメンバーＩＤとを含む電子メールを、当該安否情報を新たに受付けたメンバー以外のメンバーおよび／または前記リンク処理にてリンクされたグループのメンバーの電子メールアドレスに対して送信する。
【００３２】
また、本実施例のサーバコンピュ−タ１のＣＰＵ２２は、前記安否情報記憶処理において、安否情報とともに、他のメンバーへの連絡情報（メッセージ）を受付けてメンバー識別情報であるメンバーＩＤに対応付けて記憶し、前記安否情報配信処理において、前記安否情報に加えて前記連絡情報を、アクセス者の選択に基づいて配信する。
【００３３】
この記憶装置２５に記憶されている本実施例のグループ情報データベース（ＤＢ）には、図３（ａ）に示すように、各グループを特定可能なグループ特定情報であるグループＩＤに対応付けて、当該グループに固有とされた安否確認ページのＵＲＬが記憶される専用ページＵＲＬと、グループ名と、グループリーダのメンバーＩＤが記憶されるＧリーダＩＤと、当該グループに属する各メンバーのメンバーＩＤが記憶されるＧメンバーＩＤ２、ＧメンバーＩＤ３…や、当該グループに属するメンバーがグループリーダとなっているリンクグループのグループＩＤが記憶されるリンクグループＩＤ１、リンクグループＩＤ２、…が記憶されている。
【００３４】
また、記憶装置２５に記憶されている本実施例のメンバー情報データベース（ＤＢ）には、図３（ｂ）に示すように、各メンバーを特定可能なメンバー識別情報であるメンバーＩＤに対応付けて、パスワードと、当該メンバーの氏名、電子メールアドレス、安否情報（ａｌｉｖｅまたはｄｅａｄ）、安否情報とともに受付けた連絡メッセージを含むメッセージファイルへのパスデータ、当該メンバーＩＤの登録が仮登録であるか否か（仮登録時には１が登録され、本登録時において０に更新される）が記憶されている。
【００３５】
また、記憶装置２５に記憶されている本実施例のクライアント情報データベース（ＤＢ）には、図３（ｃ）に示すように、各クライアント（オーガニゼーション；組織母体）を特定可能な情報であるクライアントＩＤに対応付けて、認証用のパスワードが記憶されており、新たにグループを形成する場合には、当該クライアントＩＤ並びにパスワードによる認証が実施されて、新規グループの受付けが実施されることで、これらクライアントＩＤ並びにパスワードを知り得ている特定の管理者のみが新たなグループの登録を実施できるようになっている。
【００３６】
次いで、本実施例において各社員が携行する携帯電話５は、インターネット網へのアクセス機能を有するとともに、図４に示すように、その操作ボタン群の中に、単独の操作キーとして非常キー８が設けられており、該非常キー８を操作することで、ワンタッチにて自分がメンバーとして所属しているグループの安否確認ページのＵＲＬにアクセスし、自分のＩＤとパスワードとが自動入力されるようになっており、このようにすることで、普段使用しないので、非常時において安否確認ページにアクセスしたくてもＵＲＬやメンバーＩＤとパスワードを忘れてしまっていて、上手く利用できなかったり、特に、高齢者や女性が、携帯電話の操作に不慣れな場合等において、非常時における非平静環境にあっても、容易に安否確認ページにアクセスできるようになる。
【００３７】
また、本実施例では、非常時における安否確認ページへのアクセスを、自分の携帯電話以外のインターネット網へのアクセス機能を有する他人の携帯電話やノートパソコン等を用いて簡便に実施できるようにするためにアクセスアダプタ４を各社員に配布しており、本実施例にて用いたアクセスアダプタ４は、図４に示すような略前方後円状の小型のモジュールとされていて、各社員は配布された当該アクセスアダプタ４を非常時に備えて携行しておく。
【００３８】
このアクセスアダプタ４の内部には、図５に示すように、各携帯電話５に内蔵されている接続インターフェイス１３との間において、データの送受を可能とするコントロールデバイス１２と、該コントロールデバイス１２に接続され、各種データを記憶可能な不揮発性メモリであるＥＰＲＯＭ１１と、が搭載されている。
【００３９】
このように、本実施例では、アクセスアダプタ４の内部の不揮発性メモリとしてＥＰＲＯＭ１１を使用しているが、本発明はこれに限定されるものではなく、これら不揮発性メモリとしては、電気的にデータ書き換えが可能なＥＥＰＲＯＭやフラッシュメモリ等を使用しても良い。尚、本実施例においては、前記アクセスアダプタ４は電池等を内在しておらず、携帯電話５に装着されることで、該携帯電話５より電力の供給を受けるようになっているが、本発明はこれに限定されるものではなく、電池を搭載するようにしても良い。
【００４０】
このＥＰＲＯＭ１１の内部には、図５に示すように、該アクセスアダプタ４を携行する社員のメンバーＩＤと、パスワード、当該社員がメンバーとなっているグループに固有とされた安否確認ページへのＵＲＬ（アドレス）、並びに装着された携帯電話５に前記ＵＲＬアドレスへのアクセスを実施するようにさせるためのアクセス指示プログラム（スクリプト）とが記憶されており、該アクセスアダプタ４を携帯電話５の接続口９へ装着することで、前記アクセス指示プログラム（スクリプト）並びに前記ＵＲＬアドレスが携帯電話５に出力されて、該ＵＲＬアドレスへのアクセスが自動的に実施され、前記メンバーＩＤとパスワードが自動入力されるようになる。
【００４１】
以下、本実施例の安否確認システムにおいて、実際に運用するためのグループ登録やメンバー登録の流れと、非常時における運用状況について、図６〜図９に基づいて以下に説明する。
【００４２】
まず、新規にグループを登録する場合には、予め各クライアントの管理者に予め通知されている管理者用のログインページに管理者が、自社のパソコン７や、或いは自分の携帯電話からアクセスする。尚、本説明においては、管理者がグループのリーダーである場合を例とし、当該グループのリーダーがグループの作成も行うことから、該グループのリーダーが自分の携帯電話からアクセスする例について図６に示す。
【００４３】
このアクセスにおいて、管理者の携帯電話には図６（ａ）に示すクライアントログインページがサーバコンピュ−タ１から配信されて表示されることで、該管理者は、自社に対して予めサービス提供会社から通知されている前記クライアントデータベースに登録されているクライアントＩＤとパスワードとを入力した後、「ログイン」を選択入力する。
【００４４】
このようにして、クライアントログインページにて入力されたクライアントＩＤとパスワードとに基づいて、前記サーバコンピュ−タ１のＣＰＵ２２は、該入力されたクライアントＩＤとパスワードがクライアントデータベースに入力されたクライアントＩＤに対応して記憶されているパスワードと一致するかを判定して、認証処理を実施し、パスワードと一致した場合においてログインを許容して、図６（ｂ）に示す新規グループ登録ページを配信する。
【００４５】
そして、該配信された新規グループ登録ページにおいて管理者は、新たに作成するグループ名と、グループリーダーの電子メールアドレス（本実施例では管理者自身がグループリーダーとなることから自分の電子メールアドレス）を入力した後、「送信」を選択入力する。
【００４６】
このようにして新規グループ登録ページにおいて新たに作成するグループ名とグループリーダーの電子メールアドレスとを受付けた前記サーバコンピュ−タ１のＣＰＵ２２は、該受付けたグループのグループＩＤを、当該クライアントのクライアントＩＤと、当該クライアントにおいて作成されているグループのシリアル番号とから生成する。具体的に、クライアントＩＤが「ａｋ０００１」で当該クライアントにおいて作成される１番目のグループであり、シリアル番号が「０００１」である場合には、グループＩＤとして「ａｋ０００１０００１」を生成する。
【００４７】
そして、このようにして付与したグループＩＤをグループデータベースに記憶するとともに、当該グループＩＤに対応付けて、前記にて新規グループ登録ページにおいて受付けたグループ名を記憶するとともに、当該グループに専用の本登録受付けページのＵＲＬを生成して、該生成したＵＲＬを対応する専用ページＵＲＬの項目に登録（記憶）する。尚、該専用ページＵＲＬの項目のＵＲＬは、後述する本登録後において本登録受付けページのＵＲＬから安否確認ページのＵＲＬに更新される）さらに、当該グループのグループリーダのメンバーＩＤを、前記にて付与したグループＩＤに当該グループのメンバー番号を付加することで生成し、該生成したグループリーダのメンバーＩＤを、前記グループＩＤに対応するＧリーダＩＤの項目に登録する。
【００４８】
そして、該ＧリーダＩＤの項目に登録したメンバーＩＤと、前記新規グループ登録ページにおいて受付けたグループリーダーの電子メールアドレスとをメンバー情報データベースに対応付けて記憶するとともに、対応する仮登録のデータに仮登録を示す「１」を記憶する。
【００４９】
これらグループ情報データベース並びにメンバー情報データベースへの登録が完了することに基づいて、サーバコンピュ−タ１のＣＰＵ２２は、前記グループ情報テーブルに記憶した本登録受付けページのＵＲＬとグループ名とを含む図６（ｄ）に示す電子メールを送信するとともに、図６（ｃ）に示す新規グループの受付け完了ページを配信し、グループリーダに送信した電子メールにおいて通知されたページにアクセスして本登録を実施する旨を通知する。
【００５０】
そして、グループリーダ（本例では管理者）が図６（ｄ）に示す電子メールの受信に基づき、当該電子メールにて通知されているＵＲＬにアクセスすると、サーバコンピュ−タ１のＣＰＵ２２は、当該アクセスに基づいて、該ＵＲＬが間違いなくグループリーダに通知されたものと判定して、該アクセスされたＵＲＬが登録されているグループＩＤを特定し、該特定したグループＩＤに基づいて当該グループに専用とする安否確認ページのＵＲＬを生成して、該生成した安否確認ページのＵＲＬを該アクセスされたＵＲＬに代えて更新記憶することで、グループの本登録がなされるとともに、該生成した安否確認ページのＵＲＬと当該グループのリーダＩＤとを含む図６（ｅ）に示す本登録受付けページを配信し、グループリーダに対して、当該グループリーダのメンバーＩＤとなるリーダＩＤと安否確認ページのＵＲＬとを通知する。
【００５１】
そして、該本登録受付けページの配信を受けて、グループリーダは、安否確認ページのＵＲＬと自分のメンバーＩＤとなるリーダＩＤとを携帯電話５に記憶させるとともに、当該安否確認ページに設けられているリーダ氏名とパスワードの各項目に、氏名とパスワードとを入力した後、「送信」を選択入力することで、図６（ｆ）に示す本登録完了のページが配信される。
【００５２】
このようにして本登録受付けページにて受付けたグループリーダの氏名とパスワードととは、該グループリーダのメンバーＩＤに対応するメンバー情報データベースにおける氏名とパスワードとに登録されるとともに、対応する仮登録のデータが仮登録を示す「１」から本登録を示す「０」に更新される。尚、本実施例においては、安否確認ページのＵＲＬをサーバコンピュ−タ１にて生成して、無効なＵＲＬとならないようにして通知しているが、これら通知した安否確認ページのＵＲＬをグループリーダが、より覚え安いアドレスに変更できるようにし、該変更されたＵＲＬの有効、無効をグループリーダに通知するようにしても良い。
【００５３】
これらの登録が完了した段階において、サーバコンピュ−タ１のＣＰＵ２２は、図６（ｆ）に示す本登録完了のページを配信するとともに、図７（ａ）に示すメンバー登録をするためのリーダー専用ページのＵＲＬを含む電子メールを当該グループリーダの電子メールアドレスに送信する。
【００５４】
該電子メールを受信したグループリーダが、受信した電子メールにて通知された自分のグループのリーダー専用ページにアクセスすると、図７（ｂ）に示すリーダー専用ページが配信されることで、当該リーダー専用ページに設けられている各種のメニュー内容の処理を実施できるようになっており、まず、グループリーダは、「３メンバー登録」を選択して自分がグループリーダであるグループに属する各メンバーの登録を実施する。
【００５５】
この「３メンバー登録」を選択した場合には、図７（ｃ）に示すように、メンバー登録ページが配信されて、各メンバーの氏名とともに、電子メールアドレスを入力するようになっており、各メンバーの氏名と電子メールアドレスとを入力した後に「送信」を選択入力することで、サーバコンピュ−タ１のＣＰＵ２２は、該メンバー登録ページにて受付けた各メンバーに、メンバーＩＤを付与し、それぞれのメンバーＩＤを、前記グループ情報テーブルにて当該グループＩＤに対応するＧメンバーＩＤ２、ＧメンバーＩＤ３、…にそれぞれ登録するとともに、該メンバーＩＤと当該メンバーのメンバー名と電子メールアドレスとを対応付けてメンバー情報データベースに登録（記憶）し、これら登録した各メンバーの仮登録のデータに仮登録を示す「１」を記憶する。
【００５６】
そして、これら仮登録を実施した各メンバーの電子メールアドレスに対して、図８（ａ）に示すメンバー情報登録ページのＵＲＬを含む本登録を促すメールを送信する。
【００５７】
該メールを受信したメンバーは、該メールにて通知されたメンバー情報登録ページのＵＲＬにアクセスすることで、図８（ｂ）に示すメンバー情報登録ページが配信される。
【００５８】
このメンバー情報登録ページには、図８（ｂ）に示すように、前記メールにて通知された自分のメンバーＩＤを入力するためのメンバーＩＤの項目と、パスワードを入力するためのパスワードの項目とが設けられており、各項目にメンバーＩＤとパスワードとを入力した後に、「送信」を選択入力することで、該メンバー情報登録ページにて受付けたメンバーＩＤに対応する前記メンバー情報データベースにおけるパスワードの項目に、該受付けたパスワードが記憶され、対応する仮登録のデータが仮登録を示す「１」から「０」へ更新されることに基づいて、図８（ｃ）に示すように、当該グループ専用の安否確認ページのＵＲＬが当該メンバーに通知される。
【００５９】
このようにして、図８（ｃ）に示す当該グループ専用の安否確認ページのＵＲＬの通知を受けて、該メンバーは、該通知された安否確認ページのＵＲＬを選択した後、前述の非常キー８を操作することで、該非常キー８を操作することでアクセスするＵＲＬとして該安否確認ページのＵＲＬが携帯電話５に登録されるとともに、図８（ｅ）に示すように、メンバーＩＤとパスワードの記憶の要否の受付けが携帯電話５において実施されることで、メンバーＩＤとパスワードの記憶が可能とされ、該メンバーＩＤとパスワードを記憶しておくことで、後述する非常時におけるアクセスにおいて当該記憶したメンバーＩＤとパスワードとが自動入力される。
【００６０】
次に、これらグループに属する各メンバーが、地震等の発生時に安否確認を実施する場合には、図９（ａ）に示すように、前記非常キー８を操作することで、データ通信が可能な状況でれば、ワンタッチにて当該グループ専用の安否確認ページにアクセスできるとともに、自分のメンバーＩＤとパスワードが自動的に入力される。
【００６１】
また、自分が携行する携帯電話５が使用不可な状況である場合には、他人の携帯電話５を借りて、携行しているアクセスアダプタ４を装着して当該グループ専用の安否確認ページにアクセスしても良いし、或いは、インターネット網に接続されているパソコン等からＵＲＬを入力してアクセスしても良い。
【００６２】
そして、自分の安否情報である「ＡＬＩＶＥ」または「ｄｅａｄ」を選択することで、該入力されたメンバーＩＤとパスワードが、該アクセスされたグループに属するメンバーであって、メンバー情報データベースにおいて入力されたメンバーＩＤに対応するパスワードに一致しているかに基づいて認証が実施され、該認証においてパスワードに一致している場合において、該メンバーＩＤに対応する安否情報が入力された安否情報である、例えば「ＡＬＩＶＥ」に更新される。尚、本実施例では、「ＡＬＩＶＥ」または「ｄｅａｄ」を選択するようにしているが、アクセスがある事自体を「ＡＬＩＶＥ」である証拠と見なし、「ｄｅａｄ」の情報が不必要であれば、メンバーＩＤとパスワードによる認証が確認できた段階において、対応する安否情報に「ＡＬＩＶＥ」を登録するようにしても良い。
【００６３】
これら新たに安否情報が更新された場合においてサーバコンピュ−タ１のＣＰＵ２２は、当該メンバー以外のグループ内とリンクされているグループのメンバーとに対し、該アクセスしてきたメンバーの安否情報を電子メールにて配信した後、図９（ｂ）に示すように、該電子メールによる通知を他のメンバーに送信したことを報知するとともに、連絡メッセージを受付けえるためのメッセージ受付けの項目と、他のメンバーの安否を確認するためのメニュー項目とを有するページを配信する。
【００６４】
該メンバーが、他のメンバーやリンクされている他のグループのメンバーに対してメッセージを伝えたい場合には、該図９（ｂ）に示すページにおけるメッセージ受付けの項目にメッセージを入力した後、「送信」を選択入力することで、該入力されたメッセージの内容が、当該メンバーのメンバーＩＤからメンバー情報データベースにて特定されるメッセージファイルに書き加えられてメッセージファイルが更新される。
【００６５】
また、該メンバーが他のメンバーやリンクされている他のグループのメンバーの安否を確認したい場合には、図９（ｂ）に示すページにおける他のメンバーの安否を確認するためのメニュー項目を選択することで、その時点において当該メンバーが属するグループの他のメンバー並びにリンクされている他のグループのメンバーの安否が、グループ情報データベース並びにメンバー情報データベースの登録内容に基づいて特定されて図９（ｃ）に示すメンバー安否情報ページとして配信されることで、他のメンバーの安否を簡便に確認することができる。
【００６６】
また、これら他のメンバーからのメッセージを見たい場合には、そのメンバーに対応する「閲覧」の選択入力部を選択入力することで、該選択されたメンバーのメッセージファイルに記憶されているメッセージ内容が配信されることで、各メンバーからのメッセージが他のメンバーに伝達されるようになる。
【００６７】
尚、本実施例では、メンバーが所属するグループの他のメンバー以外に、当該メンバーにリンクされている他のグループメンバーの安否も確認できるようになっているが、これら安否を確認できるグループメンバーとしては、図１０に示すように、当該メンバーが所属しているグループに直接リンクされているグループのメンバーの安否が確認でき、該リンクされているグループにさらにリンクされているグループのメンバーの安否に関しては確認することはできないようになっている。
【００６８】
以上、本実施例の安否確認システムによれば、インターネット網等のオープンコンピュータネットワークを介したデータ通信を用い、各グループに固有に割り当てられたアクセスページである安否確認ページへアクセスして自分の安否を入力することで、該入力した自分の安否情報が、自分が属しているグループの他のメンバーが該アクセスページへアクセスすることで配信されるとともに、自分以外の他のメンバーの安否情報が配信されて確認できるようになるため、音声による安否情報に確認に比較して確認に要する時間を大幅に短いものとできるとともに、予めグループに登録されたメンバーの安否情報のみが配信されるようになるため、不特定多数の人が書き込みを実施する掲示板等に比較して、迅速かつ効率良く安否確認を実施できる。また、大地震等の災害が発生時における輻輳状況下にあっても、例えば携帯電話におけるデータ通信であるパケット通信によるデータ通信での接続の可能性は、通話による通信よりも接続可能性が高く、より確実性の高い安否確認システムを構築できる。
【００６９】
また、本実施例の安否確認システムによれば、メンバー登録した各メンバーにアクセスページである安否確認ページのＵＲＬアドレスが電子メールにて通知されるため、メンバー登録した各メンバーにアクセスページのアドレスを通知する手間を省けるとともに、当該アクセスページのアドレスの間違いによる不都合を大幅に低減できるばかりか、仮に電子メールアドレスが間違えて登録されているメンバーへはアクセスページのアドレスを含む電子メールが送信されず、エラーメールとなることで、これら電子メールアドレスの間違いを事前に把握することができる。
【００７０】
また、本実施例の安否確認システムによれば、電子メールにて通知された認証情報となるメンバーＩＤに基づく認証がとれたメンバーが、仮登録を示す情報が「１」から「０」に変更されて本登録とされて正規登録されることで、虚偽や他人の電子メールアドレス等を用いた登録を排除できるとともに、アクセスしてきたメンバーには、確実にアクセスページのアドレスが通知されていることを確認することができる。
【００７１】
また、本実施例の安否確認システムによれば、グループに属するメンバーは、所属するグループにリンクされている他のグループのメンバーに自分の安否を通知できるとともに、該リンクされている他のグループのメンバーの安否情報も確認することができる。
【００７２】
また、本実施例の安否確認システムによれば、安否情報が更新されることに基づいて、該更新された安否情報が、電子メールにて他のメンバーに通知されることで、安否情報が更新されたか否かを逐次アクセスして確認する必要がなく、これら頻繁なアクセスによる輻輳の悪化や携帯電話等の電池の消耗等を最小限にとどめることができる。
【００７３】
また、本実施例の安否確認システムによれば、単独とされたアクセス操作手段となる非常キー８を操作するのみで簡便にアクセスページにアクセスできるようになり、災害時における動転状況（非平静状況）下においても、機械操作を不得手とする高齢者や女性であっても、アクセスページである安否確認ページへアクセスできる可能性を大幅に高めることができる。
【００７４】
また、本実施例の安否確認システムによれば、前記記憶媒体となるアクセスアダプタ４を非常時に備えて携行することで、例えば、自分が携行する携帯電話５等が故障または電池切れになっても、これら記憶媒体を他人の携帯電話５やＰＤＡ端末等に装着することで、アクセスページである安否確認ページにアクセスして安否情報の入力や確認を実施できるようになる。
【００７５】
以上、本発明の実施例を図面により説明してきたが、具体的な構成はこれら実施例に限られるものではなく、本発明の要旨を逸脱しない範囲における変更や追加があっても本発明に含まれる。
【００７６】
例えば、上記実施例では、サービス提供会社（ＡＳＰ）が、社員の安否確認を実施するための安否確認サービスをクライアントなる企業に提供する例をしめしたが、このようにすることは、システムの運用コストや費用を多くの利用者にて分担することとなり、これらのシステムの保守や運用に係る費用を低くおさえ、安価にて安否確認のシステムを企業や組織や家庭が導入できるようになることから好ましいが、本発明はこれに限定されるものではなく、これらの安否確認システムとなるサーバコンピュータ１を、企業や組織が単独にて設置して運用するようにしても良い。
【００７７】
また、前記実施例では、ミラーサーバ１’を設置しているが、これらミラーサーバ１’を設置する場所（例えば海外）や、その台数は適宜に選択すれば良い。
【００７８】
また、前記実施例では、メンバーが所有する情報端末として携帯電話５を例に説明しているが、本発明はこれに限定されるものではなく、これら情報端末は、オープンコンピュータネットワークであるインターネット網６に接続できるものであれば良く、例えば、ＴＣＰ−ＩＰプロトコルを利用できるＭＣＡ端末やアマチュア無線端末であっても良い。
【００７９】
また、前記実施例では、メンバー自身が自分の安否情報を安否確認ページにアクセスして入力するようにしているが、本発明はこれに限定されるものではなく、これらの安否情報を、例えば学校や幼稚園や老人ホーム等においては、グループリーダが入力して、該入力された安否情報が、該メンバーの「保護者」である他のグループの親や、他のグループの医師、介護士等にも通知されるようにしても良い。
【００８０】
尚、本発明はインターネット網を利用するために、メンバーの所在地は、同一の国内に限ることなく、国外に在住するメンバーであっても良い。
【図面の簡単な説明】
【００８１】
【図１】本発明の実施例における安否確認システムの構成を示すシステム概要図である。
【図２】本発明の実施例における安否確認システムに用いたサーバコンピュータの構成を示すブロック図である。
【図３】本発明の実施例における安否確認システムに用いたサーバコンピュータに登録されている各データベースを示す図である。
【図４】本発明の実施例に用いた携帯電話と、該携帯電話に装着使用されるアクセスアダプタの装着状況を示す図である。
【図５】本発明の実施例に用いたアクセスアダプタの構成を示すブロック図である。
【図６】本発明の実施例におけるグループ登録の実施時におけるアクセス画面を示す図である。
【図７】本発明の実施例におけるメンバー仮登録の実施時におけるアクセス画面を示す図である。
【図８】本発明の実施例におけるメンバー本登録の実施時におけるアクセス画面を示す図である。
【図９】本発明の実施例における安否情報ページへのアクセス画面を示す図である。
【図１０】本発明の実施例における複数グループのリンクと安否確認可能なグループ範囲とを示す図である。
【符号の説明】
【００８２】
ｌ        サーバコンピュータ
１’      ミラーサーバ
４        アクセスアダプタ
５        携帯電話
６        インターネット網
７        コンピュータ端末
９        接続口
１１      ＥＰＲＯＭ
１２      コントロールデバイス
１３      接続インターフェイス
２１      データバス
２２      中央演算処理装置（ＣＰＵ）
２３      ＲＡＭ
２４      リアルタイムクロック
２５      記憶装置
２６      通信インターフェイス
【図１】
2005141585.tif 000003
【図２】
2005141585.tif 000004
【図３】
2005141585.tif 000005
【図４】
2005141585.tif 000006
【図５】
2005141585.tif 000007
【図６】
2005141585.tif 000008
【図７】
2005141585.tif 000009
【図８】
2005141585.tif 000010
【図９】
2005141585.tif 000011
【図１０】
2005141585.tif 000012